(57)【要約】【課題】本発明の目的は、あご紐の長さの調節が容易かつ安全性に優れたヘルメットを提供することが可能なあご紐およびそれを備えたヘルメットを提供することである。【解決手段】本発明のあご紐１は、図１に示すように、あご紐本体２と、あご紐本体２の一端側に設けられた第１の取り付け部材３と、あご紐本体２の他端側に設けられた第２の取り付け部材４とを有している。あご紐本体２の一端側には、あご紐本体２と並設して長手方向に沿って複数のラチェット歯５１を有する帯状の被掛け留め部５と、ラチェット歯５１と係合する爪部６１１を有する掛け留め部６とが設けられている。掛け留め部６は、被掛け留め部５と並設するあご紐本体２が伸びきった際にラチェット歯５１の長手方向の一端側に位置している。【選択図】  図１
2004162213.tif 000002
【特許請求の範囲】
【請求項１】
可撓性を有するあご紐本体と、前記あご紐本体の一端側に設けられた第１の取り付け部材と、前記あご紐本体の他端側に設けられた第２の取り付け部材とを有するあご紐であって、
前記あご紐の一端側には、前記あご紐と並設して長手方向に沿って複数のラチェット歯を有する帯状の被掛け留め部と、前記ラチェット歯と係合する爪部を有する掛け留め部とが設けられ、
前記掛け留め部は、前記被掛け留め部と並設するあご紐本体が伸びきった際に前記ラチェット歯の長手方向の一端側に位置することを特徴とするあご紐。
【請求項２】
前記掛け留め部は、前記ラチェット歯と係合する爪部と、前記爪部の係合を解除可能な係合解除部とを有するものである請求項１に記載のあご紐。
【請求項３】
前記あご紐本体が伸びる方向に張力がかかった場合には、前記ラチェット歯が前記爪部に対して動かないものである請求項１または２に記載のあご紐。
【請求項４】
前記第２の取り付け部材は、あご紐より離脱可能なものである請求項１ないし３のいずれかに記載のあご紐。
【請求項５】
前記あご紐と前記第２の取り付け部材とは、雄雌嵌合コネクターを介して接合されているものである請求項１ないし４のいずれかに記載のあご紐。
【請求項６】
あご紐本体の両端側部分には、頭部ベルトの両端側部分が設置されているものである請求項１ないし５のいずれかに記載のあご紐。
【請求項７】
前記掛け留め部と前記被掛け留め部との係合位置により、あご紐本体の長さ調整が可能なものである請求項１ないし６のいずれかに記載のあご紐。
【請求項８】
前記掛け留め部と被掛け留め部による係合が外れた場合にも、前記ラチェット歯に並設するあご紐本体部分によりあご紐の長さがそれ以上伸びないものである請求項１ないし７のいずれかに記載のあご紐。
【請求項９】
請求項１ないし８のいずれかに記載のあご紐を備えたヘルメット。
【発明の詳細な説明】
【０００１】
【発明の属する技術分野】
本発明は、あご紐およびそれを備えたヘルメットに関する。
【０００２】
【従来の技術】
従来のヘルメットのあご紐は、例えば、図７に示すように、あご紐を装着する際に、両あご紐をワンタッチフック等の止着具により連結するようになっていた。そして、あご紐の締め付け具合などの長さ調節は、バックルに通したあご紐を順送りして移動させることにより行っていた。
【０００３】
しかしながら、上記従来のバックルによるあご紐の長さ調節では、手間と時間がかかって不便である等の問題点があった。
【０００４】
【特許文献１】
特開平１１−２４４００７号公報
【０００５】
【発明が解決しようとする課題】
本発明の目的は、あご紐の長さの調節が容易かつ安全性に優れたヘルメットを提供することが可能なあご紐およびそれを備えたヘルメットを提供することである。
【０００６】
【課題を解決するための手段】
このような目的は、下記（１）〜（９）の本発明により達成される。
（１）可撓性を有するあご紐本体と、前記あご紐本体の一端側に設けられた第１の取り付け部材と、前記あご紐本体の他端側に設けられた第２の取り付け部材とを有するあご紐であって、前記あご紐の一端側には、前記あご紐と並設して長手方向に沿って複数のラチェット歯を有する帯状の被掛け留め部と、前記ラチェット歯と係合する爪部を有する掛け留め部とが設けられ、前記掛け留め部は、前記被掛け留め部と並設するあご紐本体が伸びきった際に前記ラチェット歯の長手方向の一端側に位置することを特徴とするあご紐。
（２）前記掛け留め部は、前記ラチェット歯と係合する爪部と、前記爪部の係合を解除可能な係合解除部とを有するものである第（１）に記載のあご紐。
（３）前記あご紐本体が伸びる方向に張力がかかった場合には、前記ラチェット歯が前記爪部に対して動かないものである第（１）または（２）に記載のあご紐。
（４）前記第２の取り付け部材は、あご紐より離脱可能なものである第（１）ないし（３）のいずれかに記載のあご紐。
（５）前記あご紐と前記第２の取り付け部材とは、雄雌嵌合コネクターを介して接合されているものである第（１）ないし（４）のいずれかに記載のあご紐。
（６）あご紐本体の両端側部分には、頭部ベルトの両端側部分が設置されているものである第（１）ないし（５）のいずれかに記載のあご紐。
（７）前記掛け留め部と前記被掛け留め部との係合位置により、あご紐本体の長さ調整が可能なものである第（１）ないし（６）のいずれかに記載のあご紐。
（８）前記掛け留め部と被掛け留め部による係合が外れた場合にも、前記ラチェット歯に並設するあご紐本体部分によりあご紐の長さがそれ以上伸びないものである第（１）ないし（７）のいずれかに記載のあご紐。
（９）第（１）ないし（８）のいずれかに記載のあご紐を備えたヘルメット。
【０００７】
【発明の実施の形態】
以下、本発明のあご紐を添付図面に示す好適な実施形態に基づいて詳細に説明する。
図１は、本発明のあご紐の一例を示す平面図である。本発明のあご紐１は、図１に示すように、あご紐本体２と、あご紐本体２の一端側に設けられた第１の取り付け部材３と、あご紐本体２の他端側に設けられた第２の取り付け部材４とを有している。
あご紐本体２の一端側には、あご紐本体２と並設して長手方向に沿って複数のラチェット歯５１を有する帯状の被掛け留め部５と、ラチェット歯５１と係合する爪部６１１を有する掛け留め部６とが設けられている。
掛け留め部６は、被掛け留め部５と並設するあご紐本体２が伸びきった際にラチェット歯５１の長手方向の一端側に位置している。
【０００８】
以下、これらの各要素について順次説明する。
あご紐本体２は、例えば自由に湾曲できる帯状の材料で形成される。前記材料としては、例えば布、樹脂材料の成形体およびそれらの複合体等が挙げられる。あご紐本体２の一端には、第１の取り付け部３が設けられる。第１の取り付け部材３は、金具であり、あご紐本体２を挿入する挿入部３１と、上側の中央部に貫通孔３２が設けられる。
挿入部３１には、あご紐本体２の一端が挿入される。
挿入部３１に挿入されたあご紐本体２の一端は、パット（クッション）部８で固定される。
第１の取り付け部材３の貫通孔３２は、ヘルメットに設けられた突起部（不図示）に挿入される。これにより、あご紐をヘルメットに固定できる。
【０００９】
パット（クッション）部８は、帯状であり、上端側に袋状の部分８１を有している。パット部８は、その内面側が柔軟な材料で形成される。
袋状の部分８１には、あご紐本体２が挿入される。
パット部８の下端側には、頭部ベルト１１を固定するための雄型の面ファスナー８２が設けられる。
【００１０】
あご紐本体２の第１の取り付け部材３の付近には、被掛け留め部５が設けられている。
被掛け留め部５の一端は、あご紐本体２に固定部材５２により固定されている。
被掛け留め部５は、あご紐本体２と並設して長手方向に複数のラチェット歯５１を有している。
ラチェット歯５１は、断面で山型であり、一方側は垂直になっており、他方側は斜めになっている。これにより、爪部６１１でラチェット歯５１を係止することができる。
【００１１】
ラチェット歯５１は、被掛け留め部５の長手方向に複数のラチェット歯が等間隔で設けられている。
また、複数のラチェット歯５１は、被掛け留め部５の幅方向の中央部分に設けられ、かつ、その部分が凸型となっている。
ラチェット歯５１は、掛け留め部６があご紐本体２を締め付ける方向へ移動することを許容するが、弛緩する方向へは阻止するように構成されている。これにより、本発明のあご紐を用いたヘルメットの装着の容易性および装着後の安定性を向上することができる。
【００１２】
掛け留め部６は、被掛け留め部５と並設するあご紐本体２が伸びきった際にラチェット歯５１の長手方向の一端側に位置する。
図２は、掛け留め部６の平面図（ａ）および正面図（ｂ）である。
掛け留め部６は、爪部６１１を有する舌片６１と、ラチェト歯５１の係合を解除できる係合解除部６２と、ラチェット歯５１を案内する案内穴６３とを有している。
舌片６１は、弾性を有しており、掛け留め部６の上面の基端側から片持ちで支持されている。
舌片６１は、その内面側（図中の掛け留め部６の下側）に爪部６１１と、係合解除部６２と当接する傾斜部６１２とを有している。
爪部６１１の断面は、一方が垂直面で、他方が斜め面になっている。なお、垂直面と斜め面の向きは、前述したラチェット歯５１の垂直面と斜め面の向きと逆になっている。
傾斜部６１２の傾斜面は、中央部から外側（図中の掛け留め部６の上側）に向かって広がっている。
【００１３】
係合解除部６２は、被掛け留め部５の両横側に設けられている。
係合解除部６２は、弾性を有しており、掛け留め部６の側面の基端側から片持ちで支持されている。
係合解除部６２は、その先端側につまみ６２１および爪部６１１とラチェット歯５１との係合を解除するための押圧部６２２を有している。
【００１４】
爪部６１１と、係合解除部６２は、共に弾性を有しており、弾性変形するものである。
係合解除部６２のつまみ６２１を押す（図４中のＡ方向）と、押圧部６２２が傾斜部６１２と当接する。
つまみ６２１を押すと、押圧部６２２と傾斜部６１２との摺動により、爪部６１１が持ち上げられ、ラチェット歯５１と爪部６１１との係合が解除される。
また、つまみ６２１を離すと、爪部６１１と、係合解除部６２は弾性変形により元に戻り、爪部６１１とラチェット歯５１とが係合する。
【００１５】
掛け留め部６と、被掛け留め部５と、あご紐本体２との関係について図３および４を用いて説明する。
図３は、掛け留め部６と被掛け留め部５とであご紐本体２を締め付けている状態を示すものである。
掛け留め部６がラチェット歯５１を進むと、あご紐本体２は緩んでくるようになる。
掛け留め部６は、ラチェット歯５１と爪部６１１との係合により、あご紐本体２を締め付ける方向には進むが、緩む方向には進まない。
【００１６】
図４は、あご紐本体２が伸びきっている状態を示すものである。図４に示すようにあご紐本体２が伸びきっている際、掛け留め部６は、ラチェット歯５１の長手方向の一端側に位置している。
したがって、あご紐本体２がこれ以上伸びないので、掛け留め部６と、被掛け留め部５との係合は外れない。また、万が一、被掛け留め部５が撓むことにより、掛け留め部６と被掛け留め部５との係合が外れた場合であってもあご紐本体２により、あご紐はこれ以上伸びないものである。これにより、あご紐の長さがこれ以上伸びることがないのであご紐があごから外れないため、ヘルメットが外れることがなく安全性が確保される。
【００１７】
第２の取り付け部材４は、図１に示すようにあご紐本体２の他端側（第１の取り付け部材３の反対側）に設けられる。第２の取り付け部材４は、金具であり、あご紐本体２を挿入する挿入部４１と、上側の中央部に貫通孔４２が設けられる。
挿入部４１には、あご紐本体２の一端が挿入される。
挿入部４１に挿入されたあご紐本体２の一端は、パット部９で固定される。
第２の取り付け部材４の貫通孔４２は、ヘルメットに設けられた突起部（不図示）に挿入される。これにより、あご紐をヘルメットに固定できる。
【００１８】
パット（クッション）部９は、帯状であり、上端側に袋状の部分９１を有している。パット部９は、その内面側が柔軟な材料で形成される。
袋状の部分９１には、あご紐本体２が挿入される。
パット部９の下端側には、頭部ベルト１１を固定するための雄型の面ファスナー９２が設けられる。
【００１９】
図１に示すようにあご紐本体２の他端側（第２の取り付け部材４側）には、雄雌嵌合コネクター７が設けられており、分離、接合可能となっている。
図５に示すように雄雌嵌合コネクター７は、第２の取り付け部材４側に設けられた雌部材７１と、第１の取り付け部材３側に設けられた雄部材７２とで構成される。
雌部材７１の一端側（第２の取り付け部材４側）は、あご紐本体２が挿入できるあご紐挿入部７１１が形成されている。
あご紐挿入部７１１には、あご紐が挿入されて繋止される。
また、雌部材７１の他端側は、雄部材７２が挿入できる空間部７１２が形成されている。
雌部材７１の中央部は、雄部材７２の凸部７２１と嵌合可能な凹部７１３が形成されている。
【００２０】
雄部材７２は、あご紐を繋止する繋止部７２２と、雌部材７１の空間部７１２へ挿入する凸部７２１が形成される。
繋止部７２２は、両側面に形成された側枠７２３と、あご紐を案内するガイド穴と、側枠の間に設けられた係止部７２４とを有している。
繋止部７２２には、あご紐本体２が係止部７２４に折り返すように巻き付けられ、あご紐本体２の長さを調整できるようになっている。
雄部材７２の他端側は、凸部７２１が形成され、雌部材７１の空間部７１２へ挿入される。
凸部７２１の一端は、雌部材７１の凹部７１３と嵌合する。
凸部７２１は、弾性を有しており、先端部を押すと嵌合が解除されるようになっている。
【００２１】
図１に示すようにあご紐本体２の中央部には、あご当て１０が設けられている。
あご当て１０は、あごの先端に適合する形をしており、その位置が調整可能となっている。
あご当て１０は、二つの貫通孔１０１、１０２を有している。あご紐本体２は、あご当て１０の内面側（あごに当接する側）から貫通孔１０１に挿入される。
あご紐本体２は、あご当て１０の外面を沿って設けられ、貫通孔１０２に挿入される。
あご当て１０は、その内面部は凹状となっており（不図示）、あご紐本体２が固定されやすくなっている。
【００２２】
図６に示すように頭部ベルト１１は、自由に湾曲できる帯状の材料で形成される。頭部ベルト１１の材質は、あご紐本体２と異なってもよいが、同じであることが好ましい。
頭部ベルト１１の両端には、頭部ベルト１１をあご紐本体２に固定するための雌型の面ファスナー１１１が設けられる。
頭部ベルト１１の中央部には、ヘルメットに取り付けるための取り付け部材１１２が設けられる。
【００２３】
本発明のヘルメットは、上述のあご紐を備えたヘルメットである。
あご紐１および頭部ベルト１１に設けられた取り付け部材により、あご紐１をヘルメットに固定する。
【００２４】
次に本発明のあご紐の動作について説明する。
本発明のあご紐１を用いたヘルメットを頭部に装着する場合、次のように行う。
第１の取り付け部材３と、第２の取り付け部材４と、頭部ベルト１１の取り付け部１１２とをヘルメット内部に取り付けてあご紐１をヘルメットに固定する。
次に、図４の状態で掛け留め部６に被掛け留め部５のラチェット歯５１を少し挿入する。
そして、雄雌嵌合コネクター７を分離し、上記あご紐本体２が固定されたヘルメットを頭部に装着する。
あご紐本体２をあご周辺部に装着し、あご当て１０をあごに当接し、雄雌嵌合コネクター７を接合する。
次に、雄部材７２の繋止部７２２であご紐本体２の長さをある程度調整する。
【００２５】
そして、あご部の周囲の長さまで被掛け留め部５を挿入し、あご紐を固定する。これにより、あご紐の長さを容易に調節できる。
【００２６】
この際、掛け留め部６の爪部６１１と被掛け留め部５のラチェット歯５１とが係合し、被掛け留め部５はあご紐本体２を締め付ける方向には移動するが、弛緩する方向には移動しないようになっている。
また、あご紐本体２が伸びきっている際、掛け留め部６は、ラチェット歯５１の長手方向の一端側に位置している。
したがって、あご紐本体２はこれ以上伸びないので、掛け留め部６と、被掛け留め部５との係合は外れない。また、万が一、被掛け留め部５が撓むことにより、掛け留め部６と被掛け留め部５との係合が外れた場合であってもあご紐本体２により、あご紐はこれ以上伸びないものである。これにより、あご紐の長さがこれ以上伸びることがないのであご紐があごから外れないため、ヘルメットが外れることがなく安全性が確保される。
【００２７】
すなわち、本発明のあご紐本体２は、雄雌嵌合コネクター７であご部の周囲の長さとあご紐本体の長さを同程度に締め付けた後、掛け留め部６と被掛け留め部５との係合により、更にあご紐本体２の長さを短くして締め付けることができる。
これにより、ヘルメット装着時の安定性に優れ、その結果安全性を向上することができる。
【００２８】
【発明の効果】
本発明によれば、あご紐の長さの調節が容易かつ安全性に優れたヘルメットを提供することが可能なあご紐およびそれを備えたヘルメットを提供することができる。
また、第２の取り付け部材を離脱可能なものとすることにより、装着性に優れたあご紐およびそれを備えたヘルメットを提供することができる。
また、掛け留め部と被掛け留め部による係合が外れた場合にも、前記ラチェット歯に並設するあご紐本体部分によりあご紐の長さがそれ以上伸びないあご紐とした場合、万が一被掛け留め部が撓むことにより、掛け留め部と被掛け留め部との係合が外れた場合であってもあご紐本体により、あご紐はこれ以上伸びず、あご紐があごから外れないようにすることができる。
【図面の簡単な説明】
【図１】本発明におけるあご紐の一例を示す平面図である。
【図２】本発明における掛け留め部の一例を示す図であり、（ａ）は平面図であり、（ｂ）は正面図である。
【図３】本発明のあご紐において、掛け留め部と被掛け留め部とであご紐本体を締め付けている状態を示す側面図である。
【図４】本発明のあご紐において、掛け留め部と被掛け留め部とであご紐本体が伸びきっている状態を示す側面図である。
【図５】本発明における雄雌嵌合コネクターの一例を示す図であり、（ａ）は雄雌嵌合コネクターの平面図であり、（ｂ）は雄部材の平面図であり、（ｃ）は雌部材の平面図である。
【図６】本発明における頭部ベルトの一例を示す平面図である。
【図７】従来のあご紐の一例を示す斜視図である。
【符号の説明】
１      あご紐
２      あご紐本体
３      第１の取り付け部材
３１    挿入部
３２    貫通孔
４      第２の取り付け部材
４１    挿入部
４２    貫通孔
５      被掛け留め部
５１    ラチェット歯
５２    固定部材
６      掛け留め部
６１    舌片
６１１  爪部
６１２  傾斜部
６２    係合解除部
６２１  つまみ
６２２  押圧部
６３    案内穴
７      雄雌嵌合コネクター
７１    雌部材
７１１  あご紐挿入部
７１２  空間部
７１３  凹部
７２    雄部材
７２１  凸部
７２２  繋止部
７２３  側枠
７２４  係止部
８      パット部
８１    袋状の部分
８２    雄型の面ファスナー
９      パット部
９１    袋状の部分
９２    雄型の面ファスナー
１０    あご当て
１０１  貫通孔
１０２  貫通孔
１１    頭部ベルト
１１１  雌型の面ファスナー
１１２  取り付け部材
【図１】
2004162213.tif 000003
【図２】
2004162213.tif 000004
【図３】
2004162213.tif 000005
【図４】
2004162213.tif 000006
【図５】
2004162213.tif 000007
【図６】
2004162213.tif 000008
【図７】
2004162213.tif 000009